(57)【要約】【課題】故障情報を確実に伝達することが可能な表示装置及び画像形成装置を提供する。【解決手段】電子機器（１０）の情報表示を行う表示装置であって、第１の表示システム（Ｓ１）及び第２の表示システム（Ｓ２）と、電子機器を制御する制御部（５０）と、を備え、第２の表示システムは電子機器に関する特定情報を表示可能な第２表示部（４０）を有し、第１の表示システムは第２表示部よりも多く情報を表示できる第１表示部（３０）を有し、第１の表示システム又は制御部に故障が発生した場合に、第２表示部に故障情報を表示する。【選択図】図３
2020189410.tif 000002
【特許請求の範囲】
【請求項１】
電子機器の情報表示を行う第１の表示システム及び第２の表示システムと、前記第１の表示システム及び前記第２の表示システムに電気的に接続して前記電子機器を制御する制御部と、を備え、
前記第２の表示システムは、前記電子機器に関する特定情報を表示可能な第２表示部を有し、前記第１の表示システムは、前記第２表示部よりも多く情報を表示できる第１表示部を有し、
前記第１の表示システム又は前記制御部に故障が発生した場合に、前記第２表示部に故障情報を表示することを特徴とする表示装置。
【請求項２】
前記制御部が前記第１の表示システムの故障を検知して、前記第２表示部に故障情報を表示することを特徴とする請求項１記載の表示装置。
【請求項３】
前記第２の表示システムが前記第１の表示システム又は前記制御部の故障を検知して、前記第２表示部に故障情報を表示することを特徴とする請求項１記載の表示装置。
【請求項４】
前記第１表示部と前記第２表示部は、前記電子機器の外面に設けた１つの操作パネル上に配置されていることを特徴とする請求項１から３のいずれか１項記載の表示装置。
【請求項５】
前記電子機器は印刷により画像を形成する画像形成装置であり、
前記第２表示部は、前記画像形成装置による印刷枚数を示す数字を表示するセグメント方式の表示デバイスであることを特徴とする請求項１から４のいずれか１項記載の表示装置を備えた画像形成装置。
【発明の詳細な説明】
【技術分野】
【０００１】
本発明は、表示装置、及び表示装置を備える画像形成装置に関する。
【背景技術】
【０００２】
印刷を行う画像形成装置などの電子機器において、装置が故障した場合に、装置の管理者やメンテナンスを行う作業者に対して故障の内容を確実に報知することが求められる。例えば、ネットワークを介した通信などの情報伝達手段を利用して、装置からの故障情報の伝達を行う技術が知られている。しかし、情報伝達手段が故障すると的確な故障情報を得ることができなくなる。そこで、装置の故障が検知された場合に、装置の故障情報を外部メディアに書き込むという技術が提案されている（例えば、特許文献１参照）。
【先行技術文献】
【特許文献】
【０００３】
【特許文献１】特開２００５−１１１７２２号公報
【発明の概要】
【発明が解決しようとする課題】
【０００４】
特許文献１に記載の発明では、装置本体とは別に外部メディアを必要とするため、外部メディアを準備していない場合に故障情報を取得できない。また、外部メディアに格納した故障情報を、装置本体とは別の端末を用いて確認する必要がある。そのため、故障の内容を迅速かつ確実に把握したいという要求を満たせない場合があった。
【０００５】
本発明の目的は、故障情報を確実に伝達することが可能な表示装置及び画像形成装置を提供することである。
【課題を解決するための手段】
【０００６】
本発明の表示装置は、電子機器の情報表示を行う第１の表示システム及び第２の表示システムと、前記第１の表示システム及び前記第２の表示システムに電気的に接続して前記電子機器を制御する制御部と、を備え、前記第２の表示システムは、前記電子機器に関する特定情報を表示可能な第２表示部を有し、前記第１の表示システムは、前記第２表示部よりも多く情報を表示できる第１表示部を有し、前記第１の表示システム又は前記制御部に故障が発生した場合に、前記第２表示部に故障情報を表示する。
【発明の効果】
【０００７】
本発明によれば、故障情報を確実に伝達することが可能な表示装置、及び表示装置を備えた画像形成装置を得ることができる。
【図面の簡単な説明】
【０００８】
【図１】画像形成装置を示す斜視図である。
【図２】画像形成装置の操作パネルを示す平面図である。
【図３】画像形成装置における制御システムの第１の形態と、エラーの表示例を示す図である。
【図４】画像形成装置における制御システムの第２の形態と、エラーの表示例を示す図である。
【図５】画像形成装置における制御システムの第３の形態と、エラーの表示例を示す図である。
【発明を実施するための形態】
【０００９】
以下、本発明の実施の形態に係る表示装置及び画像形成装置について、図面を参照しながら説明する。本実施の形態は、表示装置を備えた電子機器として、画像形成装置１０に適用したものである。図１は画像形成装置１０の外観を示したものであり、図２は画像形成装置１０の一部である操作パネル２０を示したものである。図３から図５は、画像形成装置１０の制御システムを、第１から第３の形態として概念的に示したものである。
【００１０】
画像形成装置１０は、印刷方式として孔版印刷を用いる孔版印刷機である。孔版印刷は、微細な孔をマスター（版）に形成し、マスターの孔から押し出したインクを用紙に転写する印刷方式である。画像形成装置１０では、マスターを作る製版工程と、マスターを通して用紙にインクを転写させて画像を形成する印刷工程が行われる。
【００１１】
画像形成装置１０は、製版や印刷を行うための機器類を内部に収めた筐体１１を有している。筐体１１の上面には、原稿台ガラス（図示略）を覆う原稿台カバー１２が設けられる。筐体１１の一方の側面には給紙台１３が設けられ、筐体１１の他方の側面には排紙台１４が設けられる。給紙台１３と排紙台１４はそれぞれ開閉可能であり、図１では、給紙台１３が閉じて排紙台１４が開いた状態を示している。筐体１１の内部には、製版の際に発熱してマスターに孔を開けるサーマルヘッド（図示略）や、製版したマスターを巻き付けるドラム（図示略）などを備えている。
【００１２】
画像形成装置１０で印刷を行う場合、原稿台ガラスに載せた原稿を読み取って画像データ化するか、パーソナルコンピュータなどの外部機器や外部メモリから原稿の画像データを受け取る。そして、原稿の画像データに基づいてマスターを作成する。作成されたマスターはドラムに巻き付けられる。給紙台１３と排紙台１４はそれぞれ開いた状態にし、印刷前の用紙を給紙台１３に設置する。印刷の開始が指示されると、給紙台１３に設置した用紙が筐体１１内に送られて、回転するドラムとプレスローラ（図示略）の間を通過する際に、マスターの孔を通過したインクが用紙に転写される。印刷後の用紙は、排紙台１４上に排出される。
【００１３】
以上のような画像形成装置１０における一連の動作指示や、画像形成装置１０に関する各種設定の入力は、操作パネル２０を介したユーザの操作によって行われる。操作パネル２０は、筐体１１の上面の前縁寄り（原稿台カバー１２の前方）に配されており、筐体１１の正面側に位置するユーザが操作や視認を行いやすくなっている。操作パネル２０は、画像形成装置１０の動作や設定に関する各種情報を表示する表示装置としての機能と、画像形成装置１０に対する各種操作を入力する操作（入力）装置としての機能を備える。
【００１４】
図２に示すように、操作パネル２０は、操作手段として、ホームキー２１、テンキー部２２、調整キー部２３、製版キー２４、印刷キー２５、連続キー２６、スタートキー２７、ストップキー２８などを有している。これらの各キーは物理キーであり、押し込み動作によって入力信号が発生する。
【００１５】
操作パネル２０はさらに、表示装置を構成する第１表示部３０と第２表示部４０を備える。第１表示部３０と第２表示部４０は、表示方式や表示面積が互いに異なっている。第１表示部３０は、テンキー部２２の左側に位置しており、第２表示部４０よりも表示面積が大きい。第２表示部４０は、第１表示部３０の右上隅に隣接した位置にあり、第１表示部３０よりも狭い横長の表示領域を有している。
【００１６】
第１表示部３０は、表示デバイスとしてＬＣＤ（Liquid Crystal Display）パネルを用いるものであり、画面上の表示に触れることで入力を受け付けるタッチパネルとして機能する。第１表示部３０は、第２表示部４０よりも表示面積が大きく、画像形成装置１０での印刷や製版に関する情報全般を表示するものである。
【００１７】
ホームキー２１を押すと、第１表示部３０にホーム画面が表示される。テンキー部２２は、数字などを示す複数のキーからなり、数値の入力やプログラムの設定などに用いられる。調整キー部２３は、複数のカーソルキーからなり、印刷速度、印刷濃度、印刷位置などのパラメータ調整に用いられる。製版キー２４を押すと第１表示部３０に製版モードの基本画面が表示され、印刷キー２５を押すと第１表示部３０に印刷モードの基本画面が表示される。連続キー２６を押すと、製版工程と印刷工程を続けて実行する連続モードと、製版工程の試し刷り完了後に動作が停止する非連続モードとに切り替わる。スタートキー２７は製版や印刷の実行を指示するキーであり、ストップキー２８は停止を指示するキーである。
【００１８】
第１表示部３０は、上述したホーム画面、製版モードの基本画面、印刷モードの基本画面など、画面の種類ごとに表示内容が変化する。そして、表示されている画面の内容に応じて、タッチパネルによる操作内容が変化する。
【００１９】
第２表示部４０は、複数個の７セグメントＬＥＤ（Light Emitting Diode）４１によって構成されている。本実施の形態では、７セグメントＬＥＤ４１を４つ並べて配置することで、４桁の表示領域を持つ第２表示部４０としている。なお、第２表示部４０での表示領域は４桁に限られるものではなく、３桁以下や５桁以上であってもよい。個々の７セグメントＬＥＤ４１は、細長い棒状の表示単位であるセグメント４２を７つ有しており、各セグメント４２に対応するＬＥＤを個別に点灯、消灯させることができる。７つのセグメント４２の点灯と消灯の組み合わせによって、表示内容が変化する。具体的には、７セグメントＬＥＤ４１では、０から９までのアラビア数字や、ラテン文字（アルファベット）の一部を表示可能である。
【００２０】
第２表示部４０は、第１表示部３０とは異なり、画像形成装置１０における特定情報の表示に特化したものである。具体的には、印刷枚数（進行中の印刷済み枚数）や原稿の読み込み枚数のような数字を表示する枚数カウンタとして用いられる。孔版印刷機である画像形成装置１０では、非常に多くの印刷枚数を処理する使用形態が想定されるため、独立した枚数カウンタとして機能する第２表示部４０を搭載している。また、７セグメントＬＥＤ４１によって表現することが可能な範囲内で、枚数以外の各種設定の入力値などを第２表示部４０に表示することも可能である。
【００２１】
第１表示部３０は、点（画素）の２次元配列によって画像や文字や記号などを表示するドットマトリクス方式の表示デバイスである。そのため、第１表示部３０は、第２表示部４０と比べて表示可能な情報量や情報の種類が多く（第２表示部４０よりも多く情報を表示でき）、英数字に限定されない複雑な内容を表示及び伝達することができる。その反面、第１表示部３０は、表示面上に微細な間隔で多数の画素を配置する精密機器であるため、第２表示部４０と比べて構造が複雑であり、駆動制御も複雑になる。また、第１表示部３０が照明用のバックライトを備えるタイプの場合、バックライトが正常に点灯することも必要な動作要件になる。
【００２２】
第２表示部４０は、細長い表示単位であるセグメント４２を８の字状に並べたセグメント方式の表示デバイスである。第２表示部４０は、第１表示部３０よりも表示単位が少なくシンプルな構造であり、表示するための制御負担や消費電力が小さくて済む。そのため、第１表示部３０に比して、第２表示部４０は、故障や表示不良が発生するおそれが少なく、エラー耐性が高い表示デバイスである。
【００２３】
画像形成装置１０に故障や動作不良が生じた場合に、その情報を、表示装置を構成する第１表示部３０や第２表示部４０に表示する。そして、以上のような第１表示部３０と第２表示部４０の表示デバイスとしての特性に着目して、第１表示部３０での情報表示に支障が生じるような場合に、画像形成装置１０の状態を確実に伝達するべく、第２表示部４０を用いて故障表示を行う。第２表示部４０による故障表示を行わせる画像形成装置１０の制御システムを、図３から図５を参照して以下に説明する。
【００２４】
図３は画像形成装置１０の制御システムの第１の形態を示したものである。この制御システムは、第１表示部３０の表示に関与する第１の表示システムＳ１と、第２表示部４０の表示に関与する第２の表示システムＳ２を備えている。
【００２５】
第１の表示システムＳ１には、第１表示部３０と、第１表示部３０を駆動するＬＣＤ駆動基板３１と、ＬＣＤ駆動基板３１に接続するキースイッチ基板３２などが含まれる。ＬＣＤ駆動基板３１は、第１表示部３０のＬＣＤパネルを駆動制御するディスプレイドライバや、制御基板５０との通信を行って通信内容に応じた制御や演算処理を行う制御ブロックを含んでいる。
【００２６】
第２の表示システムＳ２には、第２表示部４０と、第２表示部４０を駆動するＬＥＤ駆動基板４３と、ＬＥＤ駆動基板４３に接続するキースイッチ基板４４などが含まれる。ＬＥＤ駆動基板４３は、第２表示部４０の７セグメントＬＥＤ４１を駆動制御する表示ドライバや、制御基板５０との通信を行って通信内容に応じた制御や演算処理を行う制御ブロックを含んでいる。
【００２７】
操作パネル２０における操作手段である上記の各種キー（２１〜２８）の操作がキースイッチ基板３２やキースイッチ基板４４に入力され、そのキー入力信号がＬＣＤ駆動基板３１とＬＥＤ駆動基板４３に送られる。
【００２８】
画像形成装置１０の筐体１１内には制御基板５０が組み付けられており、制御基板５０上にＣＰＵ（Central Processing Unit）５１が設けられている。制御基板５０とＣＰＵ５１は、画像形成装置１０を統括制御する制御部として機能するものであり、ＣＰＵ５１は制御部における演算処理装置として機能する。図示を省略しているが、制御基板５０上には、ＣＰＵ５１により実行される制御プログラムを書き込んだＲＯＭ（Read Only Memory）や、ＣＰＵ５１が制御プログラムを実行する際に作業用記憶領域として使用されるＲＡＭ（Random Access Memory）など、画像形成装置１０の制御に必要な電気部品が実装されている。また、制御基板５０上には、エラー報知ＬＥＤ５２が設けられている。画像形成装置１０に故障や動作エラーが発生した場合、エラー報知ＬＥＤ５２を長い周期（例えば１秒間に１回）で点滅させる。
【００２９】
各基板間はケーブルにより電気的に接続され、チャンネルを形成する。制御基板５０とＬＣＤ駆動基板３１が第１のチャンネル５３によって接続され、制御基板５０とＬＥＤ駆動基板４３が第２のチャンネル５４によって接続されている。操作パネル２０側で各種キー（２１〜２８）や第１表示部３０のタッチパネルを操作して入力された信号が、第１のチャンネル５３や第２のチャンネル５４の信号ラインを通じて制御基板５０側に送られ、入力信号に応じた制御がＣＰＵ５１などによって実行される。第１表示部３０の表示内容に関するビデオ信号が、制御基板５０から第１のチャンネル５３の信号ラインを通じてＬＣＤ駆動基板３１に送られて、このビデオ信号に基づいて、ＬＣＤ駆動基板３１の制御により第１表示部３０の表示が行われる。第２表示部４０の表示内容に関する表示制御信号が、制御基板５０から第２のチャンネル５４の信号ラインを通じてＬＥＤ駆動基板４３に送られて、この表示制御信号に基づいて、ＬＥＤ駆動基板４３の制御により第２表示部４０の表示が行われる。また、第１のチャンネル５３の信号ラインを介してＬＣＤ駆動基板３１と制御基板５０の接続確認信号を送受信し、第２のチャンネル５４の信号ラインを介してＬＥＤ駆動基板４３と制御基板５０の接続確認信号を送受信する。
【００３０】
図３の制御システムでは、第１表示部３０の表示処理に関与する第１の表示システムＳ１と、第２表示部４０の表示処理に関与する第２の表示システムＳ２とが電気的に独立した状態にある。各表示システムＳ１、Ｓ２は、第１のチャンネル５３と第２のチャンネル５４を介して制御基板５０とは個別に接続されているが、第１の表示システムＳ１と第２の表示システムＳ２を直接的に接続する信号（制御）ラインは設けられていない。
【００３１】
第１表示部３０及びＬＣＤ駆動基板３１を含む第１の表示システムＳ１の動作状況を制御基板５０側で監視している。具体的には、制御基板５０からＬＣＤ駆動基板３１へ送られたビデオ信号の受信確認の有無、画像形成装置１０の電源がオンになってから規定時間内での制御基板５０との通信の有無、ＬＣＤ駆動基板３１と第１表示部３０の間での通信エラーの有無、などを制御基板５０が監視する。ＬＣＤ駆動基板３１からのビデオ信号の受信確認が取れない場合や、ＬＣＤ駆動基板３１が制御基板５０と通信できていない場合や、第１表示部３０とＬＣＤ駆動基板３１の間での通信エラーが生じている場合は、第１の表示システムＳ１が故障状態にあって第１表示部３０による情報表示を行うことができないと判定される。
【００３２】
第１表示部３０、ＬＣＤ駆動基板３１、第１のチャンネル５３を構成するケーブルなどに故障が発生して、第１表示部３０による情報表示が適正に行えなくなった場合、当該故障を認識したＣＰＵ５１が、第２のチャンネル５４を通じて故障表示用のＬＥＤ出力信号をＬＥＤ駆動基板４３に送信する。そして、ＬＥＤ駆動基板４３に入力されたＬＥＤ出力信号に基づき、第２表示部４０において、英数字の組み合わせからなるエラーコードの形式で表示を行わせる。例えば、図３に示すように、第１表示部３０のＬＣＤパネルに故障が発生した場合には表示例１、ＬＣＤ駆動基板３１に故障が発生した場合には表示例２、ＬＣＤ駆動基板３１と制御基板５０の接続にエラーが生じている（接続確認信号が認識できない）場合には表示例３、といった表示を行う。第１の表示システムＳ１において複数の故障箇所や故障内容がある場合には、第２表示部４０で複数のエラーコードを一定間隔で切り替えて表示してもよい。
【００３３】
制御基板５０やＣＰＵ５１による第１の表示システムＳ１の動作状況の監視は、画像形成装置１０における通常の動作制御の一環として実行されるものである。そして、第１の表示システムＳ１に故障が生じた場合に、第２のチャンネル５４を通じて故障表示用のＬＥＤ出力信号をＬＥＤ駆動基板４３に送信するだけで処理が完了する。従って、既存の制御システムに対して新規な構造を付加する必要がなく、制御の負担増大も防ぐことができ、コストをかけずに確実な故障表示を実現できる。
【００３４】
なお、画像形成装置１０において第１の表示システムＳ１と第２の表示システムＳ２を含む表示装置以外の箇所が故障した場合には、故障の内容や故障が発生した場所を、第１表示部３０に表示させる。このとき、故障の内容を表すエラーコードを第２表示部４０に表示してもよい。また、第１の表示システムＳ１と第２の表示システムＳ２の両方に故障が発生した場合には、制御基板５０上のエラー報知ＬＥＤ５２を短い周期（例えば１秒間に２回）で点滅させる。
【００３５】
図４は画像形成装置１０の制御システムの第２の形態を示したものである。この制御システムを構成する個々の要素については、図３を参照して上述した制御システムの第１の形態と共通しており、説明を省略する。この第２の形態の制御システムでは、ＬＣＤ駆動基板３１とＬＥＤ駆動基板４３が電気的に接続しており、第１表示部３０及びＬＣＤ駆動基板３１を含む第１の表示システムＳ１の動作状況を、ＬＥＤ駆動基板４３の制御ブロックが監視している。具体的には、制御基板５０からＬＣＤ駆動基板３１へのビデオ信号の入力の有無、ＬＣＤ駆動基板３１と第１表示部３０の間での通信エラーの有無、などをＬＥＤ駆動基板４３が監視する。ＬＣＤ駆動基板３１がビデオ信号を受信できていない場合や、第１表示部３０とＬＣＤ駆動基板３１の間での通信エラーが生じている場合は、第１の表示システムＳ１が故障状態にあって第１表示部３０による情報表示を行うことができないと判定される。
【００３６】
第１の表示システムＳ１に故障が発生して、第１表示部３０による情報表示が適正に行えなくなった場合、当該故障を認識したＬＥＤ駆動基板４３が、第２表示部４０を駆動させて、英数字の組み合わせからなるエラーコードの形式で表示を行わせる。例えば、図４に示すように、第１表示部３０のＬＣＤパネルに故障が発生した場合には表示例４、ＬＣＤ駆動基板３１に故障が発生した場合には表示例５、といった表示を行う。第１の表示システムＳ１において複数の故障箇所や故障内容がある場合には、第２表示部４０で複数のエラーコードを一定間隔で切り替えて表示してもよい。
【００３７】
第２の形態の制御システムは、第１の表示システムＳ１を構成するＬＣＤ駆動基板３１と、第２の表示システムＳ２を構成するＬＥＤ駆動基板４３を電気的に接続させるという、簡単な構成で得ることができる。また、第２の表示システムＳ２内で、第１の表示システムＳ１の動作状況の監視と故障時の情報表示とを完結させることができるため、制御基板５０やＣＰＵ５１に処理負担がかからないという利点がある。
【００３８】
図５は画像形成装置１０の制御システムの第３の形態を示したものである。この制御システムを構成する個々の要素については、図３を参照して上述した制御システムの第１の形態と共通しており、説明を省略する。この第３の形態の制御システムでは、第１の形態の制御システムと同様に、第１表示部３０の表示処理に関与する第１の表示システムＳ１と、第２表示部４０の表示処理に関与する第２の表示システムＳ２とが電気的に独立した状態にある。そして、第２のチャンネル５４を介して接続されている制御基板５０側の動作状況や、制御基板５０との通信の接続状況を、ＬＥＤ駆動基板４３の制御ブロックが監視している。
【００３９】
ＣＰＵ５１を含む制御基板５０側の構成要素に故障が発生した場合や、制御基板５０との通信が行えない場合、当該故障や通信不良を認識したＬＥＤ駆動基板４３が、第２表示部４０を駆動させて、英数字の組み合わせからなるエラーコードの形式で表示を行わせる。例えば、図５に示すように、制御基板５０側の構成要素に故障が発生した場合には表示例６、制御基板５０からの通信が規定時間以上無い場合には表示例７、といった表示を行う。制御基板５０側での複数の故障箇所や故障内容が検出される場合には、第２表示部４０で複数のエラーコードを一定間隔で切り替えて表示してもよい。
【００４０】
制御基板５０で以上のようなエラーが生じている状況では、制御基板５０から送られるビデオ信号に基づいて表示を行う第１の表示システムＳ１についても、第１表示部３０での正常な情報表示を実行できない可能性が高い。従って、制御基板５０側に何らかのエラーが発生した場合に、第２の表示システムＳ２のＬＥＤ駆動基板４３で検知して第２表示部４０で故障表示を行うことにより、第１の表示システムＳ１経由では表示できない（可能性が高い）故障情報を、確実に伝達させることができる。第２表示部４０での故障表示は、英数字の組み合わせからなるシンプルなエラーコードであり、故障表示のための電力消費も少ない。そのため、制御基板５０で動作エラーが生じている場合でも、第２表示部４０とＬＥＤ駆動基板４３を含む第２の表示システムＳ２で表示制御を完結させることが可能である。
【００４１】
以上の各形態に示した通り、故障情報を第１の表示システムＳ１で表示できない状況が検知された場合に、第２表示部４０に故障情報を表示することで、画像形成装置１０の管理者やメンテナンスを行う作業者に対して、故障の状況と内容を確実に伝達することができる。特に、第１表示部３０に表示する内容や表示用の制御が複雑である第１の表示システムＳ１に対して、印刷枚数を示す数字など特定情報の表示に特化している第２の表示システムＳ２は、構造や制御がシンプルであって故障が起こりにくいため、表示装置における故障報知用のフェイルセーフ手段として適している。また、第２表示部４０を含む第２の表示システムＳ２は、孔版印刷機である画像形成装置１０において枚数カウンタとして元々備えられているものであり、故障表示用に新たな表示手段を設ける必要がないので、装置の製造や改造のコストを抑えることができる。
【００４２】
第２表示部４０は、第１表示部３０と共に、１つの操作パネル２０の一部として画像形成装置１０の筐体１１の外面上に設けられた表示装置であるため、視認性や識別性に優れており、第２表示部４０に故障表示が行われていることを一見して理解させることができる。例えば、筐体１１内部の制御基板５０上に設けたエラー報知ＬＥＤ５２では、筐体１１のカバーを開けて制御基板５０を露出させなければ視認できないので、第２表示部４０の方が手間をかけずに迅速に故障情報を知らせることができる。
【００４３】
第１の表示システムＳ１が故障していない状態で画像形成装置１０に発生した故障や動作エラーについては、第１表示部３０上に詳細な情報が表示される。従って、画像形成装置１０のユーザやメンテナンスを行う作業者が何らかのエラーを感知した場合には、操作パネル２０を確認することが習慣づけられる。故障箇所が第１の表示システムＳ１や制御基板５０である場合には、第１表示部３０が非表示になったり異常表示になったりする。ここで、操作パネル２０上で第１表示部３０に隣接して設けられる第２表示部４０に故障情報が表示されていると、操作パネル２０を確認することが習慣づけられている者にとって、特別な努力や注意力を要さずに、第２表示部４０の表示に基づいて故障の発生を認識することができる。
【００４４】
画像形成装置１０に搭載されている第２表示部４０のみで故障情報の伝達を完結させることができるので、外部メディアを準備して故障情報を書き込ませたり、外部メディアに記録した故障情報を別の端末で読み出したりする手間がかからない。また、第２表示部４０による故障情報の表示は、画像形成装置１０から外部への通信環境による影響を受けることがなく、故障情報の伝達の確実性に優れている。
【００４５】
また、複数個の７セグメントＬＥＤ４１で構成した第２表示部４０は、７つのセグメント４２で表現可能な文字（英数字）や記号や簡易な画像の組み合わせによって、ある程度具体的な内容を伝達することができる。特に、予め定めたエラーコードを表示させることにより、限られた表示桁数で効率的に情報伝達を行うことができる。例えば、エラー報知ＬＥＤ５２では、表示形態が、点灯、長い周期の点滅、短い周期の点滅などの少ないバリエーションに留まり、伝達可能な情報量が制約される。これに対して、文字や記号や画像のような２次元的情報を表示可能であるセグメント方式の第２表示部４０は、エラー報知ＬＥＤ５２よりも伝達可能な情報量が多く、故障の内容や故障が発生している場所を特定して伝えることが可能な表示能力を有している。
【００４６】
第２表示部４０の７セグメントＬＥＤ４１で表示される英数字は、世界的に汎用性が高く、表示形態がシンプルである。そのため、画像形成装置１０の故障時にメンテナンスを行う作業員が近くにおらず、ユーザが電話などで遠隔的に状況を伝える場合でも、専門的な知識を要さずに、第２表示部４０を見て表示内容を口頭などで正しく伝達しやすいという利点もある。また、表示面積自体は第１表示部３０よりも第２表示部４０の方が小さいが、個々の７セグメントＬＥＤ４１で形成する英数字は、画像形成装置１０から多少離れた位置からでも可読性の高いものであるため、故障情報を読み取りやすい。
【００４７】
上述した実施の形態では、第２表示部４０を７セグメントＬＥＤ４１によって構成しているが、ＬＥＤではなく液晶などによるセグメント表示を行うものであってもよい。また、７セグメントではなく、１４セグメントや１６セグメントなどの表示デバイスを用いることも可能である。
【００４８】
上述した実施の形態では、第１表示部３０の表示デバイスとしてＬＣＤパネルを用いているが、ＬＣＤ以外の表示デバイスを用いることも可能である。例えば、有機ＥＬ（Organic Electro Luminescence）ディスプレイを第１表示部３０として用いてもよい。
【００４９】
以上、添付図面に基づく実施の形態及び変形例によって本発明を説明したが、本発明は上述の実施の形態や変形例には限定されず、要旨を逸脱しない範囲で種々の変更や応用を行うことが可能である。上述の実施の形態において、添付図面に図示されている構成や制御等については、これに限定されず、本発明の効果を発揮する範囲内で適宜変更することが可能である。その他、本発明の趣旨を逸脱しない限りにおいて適宜変更して実施することが可能である。以下に、本願の出願当初の特許請求の範囲に記載された発明を付記する。
[付記１]
電子機器の情報表示を行う第１の表示システム及び第２の表示システムと、前記第１の表示システム及び前記第２の表示システムに電気的に接続して前記電子機器を制御する制御部と、を備え、
前記第２の表示システムは、前記電子機器に関する特定情報を表示可能な第２表示部を有し、前記第１の表示システムは、前記第２表示部よりも多く情報を表示できる第１表示部を有し、
前記第１の表示システム又は前記制御部に故障が発生した場合に、前記第２表示部に故障情報を表示することを特徴とする表示装置。
[付記２]
前記制御部が前記第１の表示システムの故障を検知して、前記第２表示部に故障情報を表示することを特徴とする付記１記載の表示装置。
[付記３]
前記第２の表示システムが前記第１の表示システム又は前記制御部の故障を検知して、前記第２表示部に故障情報を表示することを特徴とする付記１記載の表示装置。
[付記４]
前記第１表示部と前記第２表示部は、前記電子機器の外面に設けた１つの操作パネル上に配置されていることを特徴とする付記１から３のいずれかに記載の表示装置。
[付記５]
前記電子機器は印刷により画像を形成する画像形成装置であり、
前記第２表示部は、前記画像形成装置による印刷枚数を示す数字を表示するセグメント方式の表示デバイスであることを特徴とする付記１から４のいずれかに記載の表示装置を備えた画像形成装置。
【符号の説明】
【００５０】
１０  ：画像形成装置（電子機器）
１１  ：筐体
２０  ：操作パネル
３０  ：第１表示部
３１  ：ＬＣＤ駆動基板
３２  ：キースイッチ基板
４０  ：第２表示部
４１  ：７セグメントＬＥＤ
４２  ：セグメント
４３  ：ＬＥＤ駆動基板
４４  ：キースイッチ基板
５０  ：制御基板（制御部）
５１  ：ＣＰＵ（制御部）
５２  ：エラー報知ＬＥＤ
５３  ：第１のチャンネル
５４  ：第２のチャンネル
Ｓ１  ：第１の表示システム
Ｓ２  ：第２の表示システム
【図１】
2020189410.tif 000003
【図２】
2020189410.tif 000004
【図３】
2020189410.tif 000005
【図４】
2020189410.tif 000006
【図５】
2020189410.tif 000007